(57)【要約】【課題】ガルバニック腐食を生ずることがなく、また樹脂製もしくは樹脂コーティングしたアダプタ継手を使用する必要がなく、施工が容易な給水・給湯・暖房配管システムを得る。【解決手段】水道網から引き込んだ水利用区域に、樹脂管、ヘッダ継手管、Ｔ継手管、エルボ継手管、アダプタ継手を介して、配管の終端における各水栓及び機器に給水・給湯する配管システムにおいて、ヘッダ継手管１を、管差し込み部一体型とし、アダプタ継手とのねじ連結を不要にする。樹脂管は、曲げ変形可能な薄いアルミニウム層６の内側及び外側を樹脂コーティングしたマルチレイヤ樹脂管４とし、ヘッダ継手管１またはアダプタ継手５の差し込み部５Ａには、管端で露出するアルミニウム層端部が接触する絶縁Ｏリング９を介在させ、継手の差し込み部５Ａに差し込んだマルチレイヤ樹脂管４の外側を、金属製スリーブ８をカシメることによって継手の差し込み部５Ａに封止固定する。【選択図】図２
2007126915.tif 000002
【特許請求の範囲】
【請求項１】
水道網から引き込んだ水利用区域に、樹脂管、ヘッダ継手管、Ｔ継手管、エルボ継手管、アダプタ継手を介して、配管の終端における各水栓及び機器に給水・給湯する配管システムにおいて、前記ヘッダ継手管を、ヘッダ管体と、このヘッダ管体の軸線方向に直交する方向に突出する少なくとも２個の管差し込み部を一体に形成し、アダプタ継手とのねじ連結を不要にしたことを特徴とする給水・給湯・暖房配管システム。
【請求項２】
水道網から引き込んだ水利用区域に、樹脂管、ヘッダ継手管、Ｔ継手管、エルボ継手管、アダプタ継手を介して、配管の終端における各水栓及び機器に給水・給湯する配管システムにおいて、前記樹脂管を、曲げ変形可能な薄いアルミニウム層の内側及び外側を樹脂層で挟み込んだマルチレイヤ樹脂管とし、前記マルチレイヤ樹脂管の端部に取り付ける金属製の継手管またはアダプタ継手の差し込み部には、マルチレイヤ樹脂管の管端で露出するアルミニウム層端が接触する絶縁Ｏリングを介在させたことを特徴とする給水・給湯・暖房配管システム。
【請求項３】
水道網から引き込んだ水利用区域に、樹脂管、ヘッダ継手管、Ｔ継手管、エルボ継手管、アダプタ継手を介して、配管の終端における各水栓及び機器に給水・給湯する配管システムにおいて、前記ヘッダ継手管を、ヘッダ管体と、このヘッダ管体の軸線方向に直交する方向に突出する少なくとも２個の管差し込み部とを一体に形成し、アダプタ継手とのねじ連結を不要にしたものとし、前記樹脂管を、曲げ変形可能な薄いアルミニウム層の内側及び外側を樹脂層で挟み込んだマルチレイヤ樹脂管とし、前記マルチレイヤ樹脂管の端部に取り付ける金属製の継手管またはアダプタ継手の差し込み部には、マルチレイヤ樹脂管の管端で露出するアルミニウム層端が接触する絶縁Ｏリングを介在させたことを特徴とする給水・給湯・暖房配管システム。
【発明の詳細な説明】
【技術分野】
【０００１】
本発明は、水道網から引き込んだ水利用区域に、樹脂管、ヘッダ継手管、Ｔ継手管、エルボ継手管、アダプタ継手を介して、各水栓及び機器に給水・給湯する配管システムに関するものである。
【背景技術】
【０００２】
このような給水・給湯配管システムにおいては、ヘッダ継手管、Ｔ継手管、エルボ継手管に、異種金属製のアダプタ継手または異種金属の金属管を差し込んで配管をすることがある。また、ごく限られた範囲内では、ステンレス鋼製の蛇腹管や、銅製のスパイラル管のような金属フレキ管を接続して使用することがあった。
【発明の開示】
【発明が解決しようとする課題】
【０００３】
しかし、ヘッダ継手管、Ｔ継手管、エルボ継手管に、異種金属製のアダプタ継手または異種金属の金属管を差し込んで配管すると、異種金属の間に電位差を生じ、この結果、電食作用で、低電位側の金属が腐食する（ガルバニック腐食）ため、このような異種金属が接触する部分に絶縁コーティングしたり、樹脂製のアダプタ継手を使用したりすることが必要になる。
また、ステンレス鋼製の蛇腹管や、銅製のスパイラル管のような金属フレキ管は、コストが高く、また重量があり、使用範囲が限定されていた。
【０００４】
したがって、本発明の目的は、このようなガルバニック腐食を生ずることがなく、また樹脂製もしくは樹脂コーティングしたアダプタ継手を使用する必要がなく、施工が容易な給水・給湯・暖房配管システムを得るにある。
【課題を解決するための手段】
【０００５】
この目的を達成するため、本発明給水・給湯・暖房配管システムは、ヘッダ継手管を、ヘッダ管体と、このヘッダ管体の軸線方向に直交する方向に突出する少なくとも２個の管差し込み部を一体に形成し、アダプタ継手とのねじ連結を不要にしたことを特徴とする。
【０００６】
さらに、上述の目的を達成するため、本発明給水・給湯・暖房配管システムは、前記樹脂管を、曲げ変形可能な薄いアルミニウム層の内側及び外側を樹脂層で挟み込んだマルチレイヤ樹脂管とし、前記マルチレイヤ樹脂管の端部に取り付ける金属製のプレス式アダプタ継手の差し込み部には、マルチレイヤ樹脂管の管端で露出するアルミニウム層端が接触する絶縁Ｏリングを介在させ、プレス式アダプタ継手の差し込み部に差し込んだマルチレイヤ樹脂管の外側に嵌挿した金属製スリーブをカシメることによってプレス式アダプタ継手の差し込み部に封止固定したことを特徴とする。
【発明の効果】
【０００７】
本発明給水・給湯・暖房配管システムに使用する管差し込み部一体型ヘッダ継手管においては、アダプタ継手をねじ込む必要がなく、したがって、異種金属の間のガルバニック腐食を生ずることがない。また、管差し込み部上に直接樹脂管を差し込み、差し込んだ樹脂管の周囲に設けたクランプスリーブをカシメるだけで簡単に樹脂管を封止固定することができ、施工が容易になる。
【０００８】
また、樹脂管を曲げ変形可能な薄いアルミニウム層の内側及び外側を樹脂層で挟み込んだマルチレイヤ樹脂管とし、マルチレイヤ樹脂管の端部に取り付ける金属製の継手管またはアダプタ継手の差し込み部にマルチレイヤ樹脂管の管端で露出するアルミニウム層端が接触する絶縁Ｏリングのみを介在させる本発明給水・給湯・暖房配管システムによれば、軽量かつ形状保持性を有しかつ熱・塩素・防蟻剤・有機塩素系化合物（トリクロロエチレン・灯油など）に強く安全性の高いアルミニウム層によって、樹脂層のみの樹脂管のような跳ね返りがなく、配管の施工が容易かつ耐用寿命が長いという利点を有するとともに、マルチレイヤ樹脂管のアルミニウム層と金属製のプレス式アダプタ継手との間に絶縁Ｏリングが介在することによって、ガルバニック腐食を生ずることがない。
【０００９】
さらに、マルチレイヤ樹脂管は、従来の金属フレキ管のように重量が重く、コストも高いものではなく、軽量安価で施工も容易である。
【発明を実施するための最良の形態】
【００１０】
本発明の好適な実施例は、曲げ変形可能なアルミニウム層の内側及び外側を樹脂層で挟み込んだマルチレイヤ樹脂管である。この実施例によれば、安全性及び耐久性が向上する。
【００１１】
次に、図面につき、本発明の好適な実施例を詳細に説明する。
【実施例１】
【００１２】
図１には、給水・給湯・暖房配管システムに使用するヘッダ継手管としての本発明による管差し込み部一体型ヘッダ継手管１を示し、ヘッダ管体２と、このヘッダ管体２の軸線方向に直交する方向に突出する少なくとも２個、図示の実施例では３個の管差し込み部３を一体に形成する。従来のヘッダ継手管は、アダプタ継手との雌形ねじ連結部を設けるのが一般的であった。
【００１３】
本発明管差し込み部一体型ヘッダ継手管１によれば、アダプタ継手とのねじ連結は不要となり、異種金属で形成したアダプタ継手との電食（ガルバニック腐食）を生ずる恐れがなくなる。
【００１４】
図２には、給水・給湯・暖房配管システムに使用する樹脂管としての本発明によるマルチレイヤ樹脂管４を、プレス式アダプタ継手５の差し込み部５Ａに接続した状態を示す。このマルチレイヤ樹脂管４は、曲げ変形可能な薄いアルミニウム層６の内側及び外側に、それぞれ樹脂層７Ａ，７Ｂを設けた、すなわちアルミニウム層６の内側及び外側を樹脂コーティングした樹脂管である。差し込み部５Ａとは反対側の差し込み部５Ｂは、図示しない配管端末の各種水栓の入口ポートに差し込み、水栓を使用できるようにする。
【００１５】
薄いアルミニウム層６の内側及び外側をコーティングする樹脂層７Ａ，７Ｂは、耐熱性、耐腐食性、化学耐性を有するとともに、通常の架橋ポリエチレンのような跳ね返りを生ずることのない形状保持性を有して施工性に優れる物理架橋の架橋ポリエチレンとすると好適である。
【００１６】
本発明給水・給湯・暖房配管システムにおいては、必要な長さにカットしたマルチレイヤ樹脂管４の端部を管端矯正器によって、金属製のプレス式アダプタ継手５の一方の差し込み部５Ａに差し込み易くなるよう開口端部に向かって広がるテーパが付きかつ真円度の高い形状に矯正するとともに、変形可能な金属製のクランプスリーブ８の内部に挿通する。
【００１７】
このように準備したマルチレイヤ樹脂管４の管端部を、クランプスリーブ８とともに、アダプタ継手５の一方の差し込み部５Ａに差し込む。このとき、マルチレイヤ樹脂管４の管端で露出するアルミニウム層端部６Ａが接触する絶縁Ｏリング９を介在させる。絶縁Ｏリング９は、マルチレイヤ樹脂管４の管端のテーパ部に収納されかつアダプタ継手５の肩部に掛合する。この状態で、カシメ工具（図示せず）を使用し、マルチレイヤ樹脂管４の管端部の周りのクランプスリーブ８をカシメることにより封止固定する。このとき、アダプタ継手５の差し込み部５Ａの中間部に止水用Ｏリング１０を設けると好適である。
【００１８】
図１に示す一体型ヘッダ継手管１の管差し込み部３にマルチレイヤ樹脂管４を接続する場合も、マルチレイヤ樹脂管４の管端部を同様に準備して、絶縁Ｏリング９を介在させクランプスリーブ８をカシメることにより封止固定する。
【００１９】
さらに、マルチレイヤ樹脂管４を、可撓性の樹脂さや管により包囲すると、安全性及び耐久性が一層向上する。
【産業上の利用可能性】
【００２０】
本発明は、マンションまたは戸建ての新築もしくはリフォーム住居、ビルディングのフロア等における給水・給湯・暖房配管システムに利用できる。
【図面の簡単な説明】
【００２１】
【図１】給水・給湯・暖房配管システムに使用するヘッダ継手管としての本発明による管差し込み部一体型ヘッダ継手管の断面図である。
【図２】給水・給湯・暖房配管システムに使用する樹脂管としての本発明によるマルチレイヤ樹脂管を、プレス式アダプタ継手の差し込み部に接続した状態を示す一部断面とする側面図である。
【符号の説明】
【００２２】
１  管差し込み部一体型ヘッダ継手管
２  ヘッダ管体
３  管差し込み部
４  マルチレイヤ樹脂管
５  プレス式アダプタ継手
５Ａ  差し込み部
５Ｂ  差し込み部
６  アルミニウム層
６Ａ  アルミニウム層端部
７Ａ  樹脂層
７Ｂ  樹脂層
８  クランプスリーブ
９  絶縁Ｏリング
１０  止水用Ｏリング
【図１】
2007126915.tif 000003
【図２】
2007126915.tif 000004